(57)【要約】【課題】  不断水型サドル分水栓を利用することで、配管内部を不断水の状態で点検することができる装置を提供する。【解決手段】  配管の穿孔部に取付けられ、前記穿孔部を開閉可能な弁装置を備えた取付けベースと、該取付けベースの弁装置よりも下流に取付けられるシリンダと、該シリンダ内に上下動可能、且つ水密に挿入されるピストンと、該ピストン内に上下動可能、且つ水密に挿入される内視鏡とからなる。シリンダには外部と連通する空気抜き孔を形成すると共に、ピストンにはその内部とシリンダとの空間を連通する導水孔を形成する。また、シリンダの上端には位置決めキャップを設けると共に、ピストンには前記位置決めキャップと嵌合可能な固定ナットを設ける。固定ナットには止水パッキンを内蔵すると共に、固定ナットの上方に締付ナットを設け、該締付ナットの締め込みにより前記止水パッキンを弾性変形させてピストンに内視鏡を水密に固定可能とする。【選択図】        図１
2005265058.tif 000002
【特許請求の範囲】
【請求項１】
配管の穿孔部に取付けられ、前記穿孔部を開閉可能な弁装置を備えた取付けベースと、該取付けベースの弁装置よりも下流に取付けられるシリンダと、該シリンダ内に上下動可能、且つ水密に挿入されるピストンと、該ピストン内に上下動可能、且つ水密に挿入される内視鏡とからなることを特徴とした配管内部点検装置。
【請求項２】
シリンダには外部と連通する空気抜き孔を形成すると共に、ピストンにはその内部とシリンダとの空間を連通する導水孔を形成した請求項１記載の配管内部点検装置。
【請求項３】
シリンダの上端には位置決めキャップを設けると共に、ピストンには前記位置決めキャップと嵌合可能な固定ナットを設けた請求項１または２記載の配管内部点検装置。
【請求項４】
固定ナットには止水パッキンを内蔵すると共に、固定ナットの上方に締付ナットを設け、該締付ナットの締め込みにより前記止水パッキンを弾性変形させてピストンに内視鏡を水密に固定可能とした請求項３記載の配管内部点検装置。
【請求項５】
ピストンの下方先方には凹溝を形成すると共に、内視鏡の先方には前記凹溝と係合可能な抜け止めリングを設けた請求項１から４のうち何れか一項記載の配管内部点検装置。
【請求項６】
取付けベースは不断水型サドル分水栓からなる請求項１から５のうち何れか一項記載の配管内部点検装置。
【発明の詳細な説明】
【技術分野】
【０００１】
この発明は、水道管等の配管内部の老化や劣化等を前記配管を切断、破壊または断水することなく点検等する配管内部点検装置に関するものである。
【背景技術】
【０００２】
水道等の配管設備において老朽管等の内部を調査する場合、従来は調査区間を断水し、さらに配管の一部を切断等していた。
【０００３】
ところで、給水本管に対して不断水の状態で支管を分岐する所謂不断水型サドル分水栓は、例えば特許文献１等によって知られている。
【０００４】
【特許文献１】特開平４−１５１０９０号公報
【発明の開示】
【発明が解決しようとする課題】
【０００５】
上述のように、老朽管等の内部調査にあたり、調査区間を断水する従来方法は、上流を遮断するのが不都合な場合に適用が困難であると共に、切断等によってその箇所を撤去・交換することを前提とするものであるため、作業が大掛かりとなってしまう。
【０００６】
そこで本発明は、不断水の状態で給水本管に支管等を分岐できるサドル分水栓に着目し、該不断水型サドル分水栓を利用することで、配管内部を不断水の状態で点検することができる装置を提供することを目的としてなされたものである。
【課題を解決するための手段】
【０００７】
上述した目的を達成するために本発明では、配管の穿孔部に取付けられ、前記穿孔部を開閉可能な弁装置を備えた取付けベースと、該取付けベースの弁装置よりも下流に取付けられるシリンダと、該シリンダ内に上下動可能、且つ水密に挿入されるピストンと、該ピストン内に上下動可能、且つ水密に挿入される内視鏡とから配管内部点検装置を構成した。ピストンは内視鏡と共に、先端が配管の穿孔部手前に至るまでシリンダ内を上下動可能であり、その間において内視鏡を保護しつつガイド機能を持つ。
【０００８】
シリンダには外部と連通する空気抜き孔を形成すると共に、ピストンにはその内部とシリンダとの空間を連通する導水孔を形成した。
【０００９】
シリンダの上端には位置決めキャップを設けると共に、ピストンには前記位置決めキャップと嵌合可能な固定ナットを設けた。
【００１０】
固定ナットには止水パッキンを内蔵すると共に、固定ナットの上方に締付ナットを設け、該締付ナットの締め込みにより前記止水パッキンを弾性変形させてピストンに内視鏡を水密に固定可能とした。
【００１１】
ピストンの下方先方には凹溝を形成すると共に、内視鏡の先方には前記凹溝と係合可能な抜け止めリングを設けた。
【００１２】
取付けベースには不断水型サドル分水栓を採用した。
【発明の効果】
【００１３】
上述した手段を採用した本発明によれば、配管に設けた取付けベースの弁装置を開き、その穿孔部より内視鏡を配管内部に挿入することができるため、不断水の状態で配管内部を点検等することができる。また、空気抜き孔と導水孔の連携による水圧逃しにより、ピストンを容易に挿入でき、配管内の水圧によるピストンの戻りも回避することができる。さらに、位置決めキャップと固定ナットの形成位置を調整することによって、ピストンの挿入量を的確に設定することができる。また、締付ナットにより止水パッキンを内視鏡と水密に圧接するように弾性変形させるので、内視鏡とピストンの隙間から漏水することを防止することができる。さらに、凹溝と抜け止めリングの係合作用によって、水圧による内視鏡の戻りが防止されるため、不断水状態での点検作業を容易に行うことができる。さらにまた、取付けベースとして不断水型サドル分水栓を利用するため、既設のサドル分水栓をも点検作業の構成要素として有効活用でき、合理的である。
【発明を実施するための最良の形態】
【００１４】
以下、本発明の好ましい実施の形態を添付した図面に従って説明する。図１〜３は、本発明の一実施形態に係る配管内部点検装置による作業手順を示したものである。本装置は、給水本管Ｐに既設または新設された不断水型サドル分水栓１の分岐側通孔２に取付けられる。即ち、本装置は、サドル分水栓１の分岐側通孔２に対してアタッチメント（袋ナット等）３により下部を取付け可能なシリンダ４と、該シリンダ４に上下動可能に挿入されたピストン５とによってケーブル挿入器を構成し、さらにピストン５には点検用光ファイバーケーブル６が内蔵されている。
【００１５】
光ファイバーケーブル６は、その先端にスコープ（図示せず）を具備して内視鏡を構成すると共に、適宜モニターと接続して配管内部の様子を撮像して管内面を観察し、またモニターに接続される録画装置によってその映像を記録することも可能である。
【００１６】
ピストン５はその上方から締付ナット７と固定ナット８を具備し、該締付ナット７を固定ナット８にねじ込むことによって、固定ナット８に内蔵された止水パッキン９を押圧変形させ、該変形による縮径によって光ファイバーケーブル６に密着し、水密性を確保する。
【００１７】
また、シリンダ４の上部には位置決めキャップ１０が嵌め込まれており、その内筒部１１にピストン５の中間凸部１２を係合可能として、ピストン５の抜け止め機能と挿入前の位置決め機能を発揮する。さらに、位置決めキャップ１０の上端フランジ１３はピストン５の固定ナット８と嵌合可能であり、該嵌合時にピストン５の挿入後の位置決め作用を行う。
【００１８】
さらに、シリンダ４には内部挿入口と外部を連通する空気抜き孔１４が設けられており、ピストン５の挿入を容易にしている。また、ピストン５には中間凸部１２の上方に位置して導水孔１５が設けられており、ピストン内部を通じて給水本管Ｐの水をシリンダ４・ピストン５間に導入する。なお、１６・１７はシリンダ４・ピストン５の上下に設けたＯリング等からなるシールパッキンであり、シリンダ４・ピストン５間の空間を形成している。
【００１９】
このような構成の点検装置において、その作業手順を説明すると、先ず図１に示したように、サドル分水栓１に取付けたシリンダ４に対してピストン５をその中間凸部１２が位置決めキャップ１０と当接する位置まで引き抜いておく。このとき、光ファイバーケーブル６は先端がピストン５の先端が突出しないように、両先端を合わせた状態でピストン５に内蔵しておく。また、位置決めキャップ１０・固定ナット８間の距離Ｌは、サドル分水栓１の高さＨとしておく。つまり、距離Ｌはピストン５の押し込み量に相当する。なお、この段階ではサドル分水栓１の分岐弁１９は閉じておく。
【００２０】
次に、図２に示したように、サドル分水栓１の分岐弁１９を開くと共に、ピストン５をシリンダ４に押し込み、固定ナット８を位置決めキャップ１０に嵌合する。該押し込み作業は次の理由により容易に行うことができる。つまり、サドル分水栓１の分岐弁１９を開くことにより給水本管Ｐの水がピストン５内部に入り込み、該水圧がピストン５の押し込みを阻害するように作用するが、これはピストン５に設けた導水孔１５を通じてシリンダ４の内部に導水されるため、給水本管Ｐとシリンダ４・ピストン５間が等圧となってピストン５の押し込み作業を容易に行うことができる。また、シリンダ４には空気抜き孔１４が設けられていることも、ピストン５の押し込み作業を容易に行う理由となっている。そして、かかる押し込み作業により、光ファイバーケーブル６はピストン５と共に給水本管Ｐの分岐孔２０手前までサドル分水栓１の内部に送り込まれる。
【００２１】
最後に、図３に示したように、光ファイバーケーブル６をさらに押し込み、先端を給水本管Ｐの内部へ到達させる。該光ファイバーケーブル６は上述のようにピストン５の内部を上下動可能であり、また回転させることも、適宜箇所で固定することも可能である。さらにその先端スコープは手元の接眼鏡で屈曲可能とすることもできるから、管内部のほぼ全周を詳細に観察することができる。この観察撮像は、別途カメラや記録装置を用いて拡大させたり、写真撮影を行ったり、データ保存することもできる。
【００２２】
なお、上述した要領で光ファイバーケーブル６を管内部に到達させた後は、給水本管Ｐの水圧によって光ファイバーケーブル６が不用意に押し戻されることが考えられる。そこで、図４に示したように、ピストン５の先方に凹溝２１を形成すると共に、光ファイバーケーブル６の先方には予め、該凹溝２１をスライドし、且つ、その奥端で係合可能な抜け止めリング２２を設けておく。凹溝２１と抜け止めリング２２の形成位置は、両者を係合させたときに光ファイバーケーブル６とピストン５の両先端が合うように設定することが好ましい。
【００２３】
なお、上述した実施形態では、ケーブル挿入器の取付けベースとしてサドル分水栓１を用いたが、配管（給水本管Ｐ）の穿孔部（分岐孔２０）に取付けられ、前記穿孔部が開閉可能な弁装置（分岐弁１９）を備えたものであれば、他の構成を採用することができる。
【図面の簡単な説明】
【００２４】
【図１】本発明装置の半截断面図（第一工程）
【図２】同（第二工程）
【図３】同（第三工程）
【図４】光ファイバーケーブルの抜け止め構造を示した断面図
【符号の説明】
【００２５】
Ｐ  給水本管
１  不断水型サドル分水栓
２  サドル分水栓の分岐側通孔
３  アタッチメント
４  シリンダ
５  ピストン
６  光ファイバーケーブル
７  締付ナット
８  固定ナット
９  止水パッキン
１０  位置決めキャップ
１１  位置決めキャップの内筒部
１２  ピストンの中間凸部
１３  位置決めキャップの上端フランジ
１４  空気抜き孔
１５  導水孔
１６・１７  シールパッキン
１９  サドル分水栓の分岐弁
２０  給水本管の分岐孔
２１  ピストンの先方に形成した凹溝
２２  抜け止めリング
【図１】
2005265058.tif 000003
【図２】
2005265058.tif 000004
【図３】
2005265058.tif 000005
【図４】
2005265058.tif 000006